(57)【特許請求の範囲】
【請求項１】
容器本体に設けられるキャップが該容器本体の内部に向かって張り出る内筒と、該内筒から上方に延びる注出筒を備え、
該内筒の下端部に流通口を備え、該内筒の壁面の下端部から上方に渡って設けられ、前記注出筒の注ぎ口に連通する内容液注出用のスリットを、前記注出筒の注ぎ出し側に設けた容器。
【請求項２】
前記キャップが前記内筒の流通口に振り子弁を設け、該内筒に設けるスリットの位置を少なくとも振り子弁の回転軸と反対側に設定し、
容器本体を下向きに傾ける状態で振り子弁が流通口を閉じたときに、該スリットが液流出路を形成する請求項１に記載の容器。
【請求項３】
前記容器本体とキャップの間に弁保護部材を設け、弁保護部材は振り子弁の開閉揺動経路の周囲を囲む筒状の壁面体を備える請求項２に記載の容器。
【請求項４】
前記壁面体に内容液注出用のスリットを設け、該スリットを前記注出筒の注ぎ出し側に設けた請求項３に記載の弁付容器。
【発明の詳細な説明】
【０００１】
【発明の属する技術分野】
本発明は液体や粉体のための容器に関する。
【０００２】
【従来の技術】
容器本体に設けられるキャップが、容器本体の内部に張り出る内筒に流通口を設け、該内筒から上方に延びる注出筒を有するものがある。
【０００３】
【発明が解決しようとする課題】
キャップの注出筒から内溶液を抽出する容器の下向き傾斜時に、容器本体の内部に張り出ている内筒が内溶液の流通を妨げる障壁となり、容器内の液残量を多くする。
【０００４】
本発明の課題は、キャップが容器本体の内部に張り出る内筒を有しているとき、容器内の液残量を少なくして容器の使い勝手を向上することにある。
【０００５】
【課題を解決するための手段】
請求項１の発明は、容器本体に設けられるキャップが該容器本体の内部に向かって張り出る内筒と、該内筒から上方に延びる注出筒を備え、該内筒の下端部に流通口を備え、該内筒の壁面の下端部から上方に渡って設けられ、前記注出筒の注ぎ口に連通する内容液注出用のスリットを、前記注出筒の注ぎ出し側に設けた容器である。
【０００６】
【発明の実施の形態】
洗剤容器等の弁付容器１０は、図１に示す如く、容器本体１１にキャップ２０を被着される。キャップ２０は、容器本体１１の開口部１２に嵌着（又は螺着）等により取着されるキャップ本体２１と、キャップ本体２１に螺着（又は嵌着）等により着脱されるカバーキャップ２２を有する。カバーキャップ２２は、キャップ本体２１から注出される内溶液を受けて計量する計量キャップとして用いる。
【０００７】
キャップ２０は、キャップ本体２１に後述する振り子弁４０を支持した弁保護部材５０を嵌着し、キャップ本体２１にカバーキャップ２２を被着した組立体とした形態で、内溶液を充填した容器本体１１に被着して用いられる。
【０００８】
キャップ本体２１は、容器本体１１の開口部１２に取着される外筒３１と、外筒３１の上端部を塞ぐ天面部３２と、天面部３２の内周に続く第１内筒３３と、天面部３２の上面に設けられてカバーキャップ２２が螺着されるねじ部３４と、第１内筒３３に連設しキャップ本体２１の内外を仕切る仕切り部３５と、仕切り部３５から下方に延びる第２内筒３６と、第２内筒３６から仕切り部３５を介して上方に延びる注出筒３７とを有する。
【０００９】
キャップ本体２１の第２内筒３６は、容器本体１１の内部に張り出る筒状をなし、内溶液を出し入れするための流通口３６Ａを備える。注出筒３７は、第２内筒３６の流通口３６Ａから取入れた内溶液を案内して注ぎ口３７Ａから注ぎ出す。キャップ本体２１は、第１内筒３３と注出筒３７の間の仕切り部３５上に環状の液回収部３８を形成し、注出筒３７の反注ぎ出し側に、該注出筒３７の液戻しスリット３９Ａと液回収部３８の液戻し口３９Ｂを互いに連続するように開設している。
【００１０】
キャップ本体２１は、第２内筒３６の流通口３６Ａに振り子弁４０を設け、この振り子弁４０の回転軸４１を注出筒３７の反注ぎ出し側で、容器本体１１との間に介装される後述のハウジング５１に設けた軸受５６に揺動自在に支持している。振り子弁４０は、重力の作用下で自重を利用して揺動自在とされ、第２内筒３６の流通口３６Ａの周縁である傾斜状の弁座４３に接離して流通口３６Ａを開閉する。
【００１１】
ここで、キャップ本体２１は、第２内筒３６の周方向において、注出筒３７の注ぎ出し側、換言すれば振り子弁４０の回転軸４１と反対側に、該第２内筒３６の上下方向の全域に渡るスリット３６Ｂを開設している。これにより、振り子弁４０が流通口３６Ａを閉じたとき、小開口のスリット３６Ｂが液流出路を形成する。弁付容器１０にあっては、液注出時に、容器本体１１を下向きに傾ける状態では、振り子弁４０により流通口３６Ａを閉じ、スリット３６Ｂから内溶液を注出可能とし、小開口のスリット３６Ｂで流量規制して粘度の低い液でも一度にどっと出ることなく、安定的に注出可能とする。また、内溶液の詰め替え時には、容器本体１１を正立させ、流通口３６Ａを振り子弁４０により開き、大開口の流通口３６Ａから詰め替え液を容易に注入可能とする。
【００１２】
尚、第２内筒３６の流通口３６Ａの周縁に形成する弁座４３の傾斜角θは、5度〜30度が好ましい。傾斜角θは、容器本体１１を正立した状態で、流通口３６Ａの周縁のうちの注出筒３７の注ぎ出し方向に沿う上下２点を結ぶ直線が水平線に対してなす角度をいい、5度〜30度に設定することにより、容器本体１１を傾けて注ぎ出し開始する前に振り子弁４０で流通口３６Ａを閉じることができ、必ずスリット３６Ｂで流量規制できる。
【００１３】
また、キャップ本体２１にあっては、第２内筒３６の最下端部を外筒３１の下端面の内側に納め、第２内筒３６が外筒３１の下端面より外方に突出しないようにしており、キャップ２０の組立ラインでキャップ本体２１の搬送性を良好にできる。
【００１４】
しかるに、弁付容器１０は以下の特徴的構成を備える。
(A)キャップ２０において、キャップ本体２１の容器本体１１の内部に張り出る第２内筒３６に流通口３６Ａを設けるとともに、第２内筒３６の壁面に前述のスリット３６Ｂを設けた。そして、第２内筒３６に設けるスリット３６Ｂの位置を、少なくとも振り子弁４０の回転軸４１と反対側に設定した。
【００１５】
従って、本実施形態によれば、以下の作用がある。
振り子弁４０が設けられる流通口３６Ａを備えた第２内筒３６を容器本体１１の内部に張り出すに際し、該内筒３６の壁面にスリット３６Ｂを設けたから、容器本体１１から内溶液を注出する容器１０の下向き傾斜時に、第２内筒３６の容器本体１１への張り出し部への障壁Ｋがスリット３６Ｂの存在によって内容液の流通を妨げることがなく、容器１０内の液残量を極力少なくし、容器１０の使い勝手を向上できる。
【００１６】
(B)キャップ２０において、振り子弁４０の周囲に弁保護部材５０を設けた。弁保護部材５０は、容器本体１１とキャップ本体２１の間に配置されるハウジング５１により構成される。ハウジング５１は、容器本体１１の開口部１２に嵌着されるとともに、キャップ本体２１の外筒３１、天面部３２、第１内筒３３が嵌着される嵌着部５２と、振り子弁４０の開閉移動経路（揺動経路）の周囲を囲む筒状の壁面体５３とからなる。ハウジング５１は、壁面体５３の周方向において、注出筒３７の注ぎ出し側、還元すればハウジング５１に設けられる振り子弁４０の回転軸４１のための後述する軸受５６の反対側に、容器本体１１の内溶液を流通させ得るスリット５４を開設してある。
【００１７】
ハウジング５１は、壁面体５３の周方向の一部（スリット５４の反対側）を内側に突き出した突き出し部５５とし、突き出し部５５の上部に、振り子弁４０の回転軸４１のための軸受５６を陥凹形成している。そして、キャップ２０にあっては、キャップ本体２１にハウジング５１を嵌着した組立状態で、キャップ本体２１の第１内筒３３、仕切り部３５の周辺部分を軸受５６のための軸受覆い部５７とし、軸受覆い部５７は軸受５６を外部空間からほぼ遮蔽する。
【００１８】
従って、本実施形態によれば、以下の作用がある。
▲１▼キャップ２０に設けられる振り子弁４０の周囲に弁保護部材５０を設けたから、キャップ２０の組立体の組立ラインや、容器１０への内溶液充填ラインで、キャップ２０の組立体を容器本体１１に未だ組付けない段階において、キャップ本体２１に取着された振り子弁４０を弁保護部材５０により囲んで保護し、他の物との接触による破損や脱落を防止できる。
【００１９】
▲２▼弁保護部材５０を壁面体５３とするとき、振り子弁４０の周囲を強固確実に囲み、振り子弁４０を確実に保護できる。
【００２０】
▲３▼弁保護部材５０を構成する壁面体５３にスリット５４を設けたから、容器本体１１から内溶液を注出する容器１０の下向き傾斜時に、振り子弁４０の周囲の壁面体５３の障壁Ｊがスリット５４の存在によって内溶液の流通を妨げることがなく、容器１０内の液残量を極力少なくでき、容器１０の使い勝手を向上できる。また、キャップ２０の組立体の組立ラインで、壁面体５３の内部に振り子弁４０が組込まれていることをスリット５４から確実に検出でき、組立性も向上できる。
【００２１】
▲４▼弁保護部材５０を容器本体１１とキャップ本体２１の間に配置されるハウジング５１にて構成することにより、ハウジング５１をキャップ本体２１と別部品化し、ハウジング５１をキャップ本体２１や容器本体１１より軟質材料で構成してそれらの間に介装する等により、キャップ本体２１と容器本体１１のシール性を向上できる。
【００２２】
▲５▼振り子弁４０の軸受５６をハウジング５１に設けることにより、軸受５６を別部品化して設ける必要がなく、キャップ２０の組立体の部品点数を少なく、組立性も向上できる。
【００２３】
▲６▼振り子弁４０の軸受５６を軸受覆い部５７で覆うことにより、液が軸受５６に直接当たりにくくし、液の固化による振り子弁４０の揺動不良を回避し、容器１０の使い勝手を向上できる。
【００２４】
(C)キャップ２０（キャップ本体２１）の第２内筒３６の流通口３６Ａに設けられる振り子弁４０において、図３（Ａ）に示す如く、流通口３６Ａの周縁の弁座４３に着座する表面を凸面４２Ａとした。凸面４２Ａは、その円錐面の頂点の側を切除した裁頭円錐状面が流通口３６Ａの弁座４３に自動調芯的に嵌まる。
【００２５】
振り子弁４０の容器本体１１の内部に臨む面を、図３（Ｂ）に示す如く、凹面４２Ｂとした。
【００２６】
従って、本実施形態によれば、以下の作用がある。
▲１▼振り子弁４０の表面の凸面４２Ａ（又は凹面）が、キャップ２０の流通口３６Ａの周縁の弁座４３に対して自動調芯的にふらつかずに嵌まり、振り子弁４０を弁座４３に対する定位置に確実に着座させることができる。これにより、振り子弁４０と弁座４３の間に不測の隙間が生ずることなく、所定の流量規制ができる。
【００２７】
▲２▼振り子弁４０の容器本体１１の内部に臨む面を凹面４２Ｂとしたことにより、液の注ぎ出し時に、液を振り子弁４０の凹面４２Ｂに溜めてその液の重みで振り子弁４０を起動して早く閉じ、液の注ぎ出し開始段階から流量規制できる。
【００２８】
▲３▼振り子弁４０の容器本体１１の内部に臨む面を凹面４２Ｂにしたことにより、液の詰め替え充填時に、容器本体１１の内部に充填されて上昇してくる液面上の空気を振り子弁４０の凹面４２Ｂに捉えてその浮力により振り子弁４０を上昇させる。使用者は上昇してくる振り子弁４０を見て、詰め替え完了を知ることができ、こぼすことがない。
【００２９】
図４は、変形例の弁付容器６０であり、容器本体６１にキャップ７０を被着したものである。キャップ７０は、容器本体６１の開口部６２に嵌着（又は螺着）等により取着されるキャップ本体７１と、キャップ本体７１に螺着（又は嵌着）等により着脱されるカバーキャップ７２を有する。カバーキャップ７２は、キャップ本体７１から注出される内溶液を受けて計量する計量キャップとして用いる。
【００３０】
キャップ本体７１は、容器本体６１の開口部６２に取着される外筒８１と、外筒８１の上端部を塞ぐ天面部８２と、天面部８２の内周に続く内筒８３と、天面部８２の上面に設けられてカバーキャップ７２が螺着されるねじ部８４と、内筒８３の内部でキャップ本体７１の内外を仕切る仕切り部８５と、内筒８３から仕切り部８５を介して上方に延びる注出筒８７とを有する。
【００３１】
キャップ本体７１の内筒８３は、容器本体６１の内部に張り出る筒状をなし、該内筒８３の内部の仕切り部８５に内溶液を出し入れするための流通口８６Ａを備える。注出筒８７は、流通口８６Ａから取入れた内溶液を案内して注ぎ口８７Ａから注ぎ出す。キャップ本体７１は、内筒８３と注出筒８７の間の仕切り部８５上に環状の液回収部８８を形成し、注出筒８７の反注ぎ出し側に、該注出筒８７の液戻しスリット８９Ａと液回収部８８の液戻し口８９Ｂを互いに連続するように開設している。
【００３２】
ここで、キャップ７０は、キャップ本体７１の内筒８３における容器本体６１の内部に張り出る部分、より詳しくは内筒８３の仕切り部８５を含む下端部に流通口８６Ａを設けるとともに、該下端部の壁面の上下方向に渡って注ぎ口８７Ａに連通するスリット８６Ｂを設けた。そして、内筒８３に設けるスリット８６Ｂの位置を、少なくとも注出筒８７の注ぎ出し側に設定した。
【００３３】
（請求項１、３に対応する作用）
弁付容器６０によれば、注出筒８７が立ち上がる内筒８３を容器本体６１の内部に張り出すに際し、該内筒８３の壁面にスリット８６Ｂを設けたから、容器本体６１から内溶液を注出する容器６０の下向き傾斜時に、内筒８３の容器本体６１への張り出し部の障壁Ｋがスリット８６Ｂの存在によって内容液の流通を妨げることがなく、容器６０内の液残量を極力少なくし、容器６０の使い勝手を向上できる。
【００３４】
【発明の効果】
以上のように本発明によれば、キャップが容器本体の内部に張り出る内筒を有しているとき、容器内の液残量を少なくして容器の使い勝手を向上できる。
【図面の簡単な説明】
【図１】図１は容器を示す断面図である。
【図２】図２は振り子弁をハウジングに組付けた平面図である。
【図３】図３は振り子弁を示す斜視図である。
【図４】図４は容器の変形例を示す断面図である。
【符号の説明】
１０、６０  容器
１１、６１  容器本体
２０、７０  キャップ
３６、８３  内筒
３６Ａ、８６Ａ  流通口
３６Ｂ、８６Ｂ  スリット
４０  振り子弁
４１  回転軸
８７  注出筒
【図１】
0003756075.tif 000002
【図２】
0003756075.tif 000003
【図３】
0003756075.tif 000004
【図４】
0003756075.tif 000005